(57)【要約】      （修正有）【課題】９０度に曲がった箇所が複数あっても、電線を容易に通線できる合成樹脂製可とう電線管と電線の組み合わせを提供する。【解決手段】合成樹脂製可とう電線管と電線の組み合わせにおいて、幾重に巻回された長さＬ０の合成樹脂製可とう電線管内に長さＬの電線が挿入されている時、一方の端部分の長さＬ１の電線と他方の端部分の長さＬ２の電線が、合成樹脂製可とう電線管から管外に露出していると共に、次式を充足するように、合成樹脂製可とう電線管と電線の組み合わせる。Ｌ＝Ｌ１＋Ｌ０＋Ｌ２【選択図】図２
0003167782.tif 000002
【実用新案登録請求の範囲】
【請求項１】
合成樹脂製可とう電線管と電線の組み合わせにおいて、幾重に巻回された長さＬ０の合成樹脂製可とう電線管内に長さＬの電線（ＬＬ０）が挿入されてなり、一方の端部分の長さＬ１の電線（ＬＬ１）と他方の端部分の長さＬ２の電線（ＬＬ２）が、合成樹脂製可とう電線管から管外に露出していると共に、数式（１）を充足することとを特徴とする合成樹脂製可とう電線管と電線の組み合わせ。
Ｌ＝  Ｌ１＋Ｌ０＋Ｌ２……数式（１）
ここに、Ｌ：電線の長さ（ｍ）、Ｌ０：合成樹脂製可とう電線管の長さ（ｍ）、Ｌ１：一方の端部分の電線が、合成樹脂製可とう電線管から管外に露出している長さ（ｍ）、Ｌ２：他方の端部分の電線が、合成樹脂製可とう電線管から管外に露出している長さ（ｍ）
【請求項２】
一方の端部分の長さＬ１の電線（ＬＬ１）と他方の端部分の長さＬ２の電線（ＬＬ２）が、両端部において折り返されることにより合成樹脂製可とう電線管の内径より大きくなって、電線（ＬＬ１）の折り返し端部と電線（ＬＬ２）の折り返し端部が共に合成樹脂製可とう電線管の入り口引っ掛かって、合成樹脂製可とう電線管内に挿入されないように構成されていることを特徴とする請求項１に記載された合成樹脂製可とう電線管と電線の組み合わせ。
【請求項３】
線（ＬＬ１）の折り返し端部と電線（ＬＬ２）の折り返し端部と合成樹脂製可とう電線管の入り口側部分が、テープ巻きされて一体構造となっていることを特徴とする請求項１〜２の何れかに記載された合成樹脂製可とう電線管と電線の組み合わせ。
【考案の詳細な説明】
【技術分野】
【０００１】
本考案は、合成樹脂製可とう電線管と電線の組み合わせに関する。
【背景技術】
【０００２】
外構工事において、門灯・インターホンとボックスとを連絡する電気配線工事を必要とするケースがしばしば生じる。
従来の電気配線工事は、地中やコンクリートブロック中に合成樹脂製可とう電線管を埋設した後に合成樹脂製可とう電線管の中に電気配線を挿入するというものであった。
従来の電気配線工事では、以下のような欠点（従来技術の欠点ともいう。）が指摘されていた。
（１）灯・インターホンとボックス間のルートに合成樹脂製可とう電線管を設置した後、土砂、コンクリート片、ごみ等が放置され、合成樹脂製可とう電線管内に誤って入ってしまい、それらが邪魔して後に電気配線を挿入しようとしても挿入することができないという不都合が生じていた。
（２）灯・インターホンとボックス間のルートに合成樹脂製可とう電線管を設置する合成樹脂製可とう電線管設置工事と、合成樹脂製可とう電線管内に電気配線を挿入する電気配線工事と、２回工事をする必要があり、合成樹脂製可とう電線管設置工事と電気配線工事をまとめて１回で行うことが望まれていた。
（３）合成樹脂製可とう電線管内に電気配線を挿入する電気配線挿入工事において、電気配線を挿入するに際しては、合成樹脂製可とう電線管の一端で電気配線引っ込みワイヤーを引っ張る者と合成樹脂製可とう電線管の他端で電気配線を押し込む者の２名必要であり、工事のコストダウンのためには、２名を１名にするという省力化が望まれていた。
（３）灯・インターホンとボックス間のルートに合成樹脂製可とう電線管を設置した後、合成樹脂製可とう電線管の中に電気配線を挿入する従来の電気配線工事では、合成樹脂製可とう電線管の曲管部分が多いと、合成樹脂製可とう電線管引っ込み抵抗が大きくなって、電気配線を挿入することが困難になるという欠点があった。
【０００３】
なお、本願考案とは直接関係しないが、関連する先行技術文献として、以下記載する。
【先行技術文献】
【特許文献】
【０００４】
【特許文献１】特開平１１−８９０５８号公報
【考案の概要】
【考案が解決しようとする課題】
【０００５】
○本考案が解決しようとする第１課題
本考案が解決しようとする第１課題は、合成樹脂製可とう電線管を予め埋設施工しておき、合成樹脂製可とう電線管内に電線を通す従来技術では、合成樹脂製可とう電線管が９０度に曲がった個所では電線をスムーズに通しにくく、合成樹脂製可とう電線管が９０度に曲がった個所が複数有ると、合成樹脂製可とう電線管内に電線を通すことが全くできなくなるという欠点があり、かかる従来技術の欠点を克服した合成樹脂製可とう電線管と電線の組み合わせを提供することである。
○本考案が解決しようとする第２課題
本考案が解決しようとする第２課題は、合成樹脂製可とう電線管内に挿入された電線が、運搬途中等において合成樹脂製可とう電線管内から抜け出て脱落することのない構成を有すると共に、施工時には簡単な操作で合成樹脂製可とう電線管内に挿入された電線が合成樹脂製可とう電線管内から自由に移動できるようにすることができる合成樹脂製可とう電線管と電線の組み合わせを提供することである。
○   
本考案が解決しようとする第３課題
本考案が解決しようとする第３課題は、合成樹脂製可とう電線管内に挿入された電線が、運搬途中等においてガタ付かないように一体構造とし、施工時には、施工時には簡単な操作で合成樹脂製可とう電線管内に挿入された電線が合成樹脂製可とう電線管内から自由に移動できるようにすることができる合成樹脂製可とう電線管と電線の組み合わせを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を達成すべく、以下用語の説明を行うこととする。
＜用語の説明＞
●合成樹脂製可とう電線管とは、屋内外で使用される電線やケーブル等を通して防護する防護管をいい、代表的な例として、ＣＤ管（Ｃｏｍｂｉｎｅｄ  Ｄｕｃｔ）、ＰＦ管（Ｐｌａｓｔｉｃ  Ｆｌｅｘｉｂｌｅ  Ｃｏｎｄｕｉｔ）等が例示される。
ここに、ＣＤ管とは、電線やケーブルを通すための防護管であり、自由に曲げることができ、波型の形状をした合成樹脂製可とう電線管である。
なお、合成樹脂製可とう電線管中におけるＣＤ管（Ｃｏｍｂｉｎｅｄ  Ｄｕｃｔ）とＰＦ管の相違は、ＣＤ管は、耐燃性（自己消火性）を有しないのに対して、ＰＦ管は、耐燃性（自己消火性）を有する点である。
また、ＣＤ管は、ＰＦ管と区別をするためにオレンジ色に着色されている。  
●電線とは、電力線の他、電話用ケーブル線をいう。電線には、例えば、２芯線（図４（ｂ）を参照）、３芯線、４新芯線がある。
●一方の端部分の長さＬ１の電線とは、合成樹脂製可とう電線管の一方の端から長さＬ１だけ管外に露出している部分の電線（ＬＬ１）をいう。
●他方の端部分の長さＬ２の電線とは、合成樹脂製可とう電線管の他方の端から長さＬ１だけ管外に露出している部分の電線（ＬＬ２）をいう。
●電線（ＬＬ１）の折り返し端部（ＬＬ０１）とは、電線端部から約長さＬ１／２の折り返し点て折り返されることにより合成樹脂製可とう電線管の内径より大きくなって、合成樹脂製可とう電線管の入り口に引っ掛かって、合成樹脂製可とう電線管内に挿入されないように構成されている一方の端部分の長さＬ１の電線（ＬＬ１）部分をいう。
●電線（ＬＬ２）の折り返し端部（ＬＬ０２）とは、電線端部から約長さＬ１／２の折り返し点て折り返されることにより合成樹脂製可とう電線管の内径より大きくなって、合成樹脂製可とう電線管の入り口に引っ掛かって、合成樹脂製可とう電線管内に挿入されないように構成されている一方の端部分の長さＬ２の電線（ＬＬ２）部分をいう。
●合成樹脂製可とう電線管の入り口側部分（ＬＣＤ０）の両端からテープが巻かれた範囲部分をいう。
●テープとは、幅が狭く、長い帯状の布等であり、片面に接着剤が塗布されたものをいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、合成樹脂製可とう電線管と電線の組み合わせにおいて、幾重に巻回された長さＬ０の合成樹脂製可とう電線管内に長さＬの電線が挿入されてなり、一方の端部分の長さＬ１の電線と他方の端部分の長さＬ２の電線が、合成樹脂製可とう電線管から管外に露出していると共に、数式（１）を充足することとを特徴とする合成樹脂製可とう電線管と電線の組み合わせである。
Ｌ＝  Ｌ１＋Ｌ０＋Ｌ２……数式（１）
ここに、Ｌ：電線の長さ（ｍ）、Ｌ０：合成樹脂製可とう電線管の長さ（ｍ）、Ｌ１：一方の端部分の電線が、合成樹脂製可とう電線管から管外に露出している長さ（ｍ）、Ｌ２：他方の端部分の電線が、合成樹脂製可とう電線管から管外に露出している長さ（ｍ）
○第２の考案（請求項２に記載の考案）
●上記の課題を解決するための第２の考案（請求項２に記載の考案）は、一方の端部分の長さＬ１の電線（ＬＬ１）と他方の端部分の長さＬ２の電線（ＬＬ２）が、両端部において折り返されることにより合成樹脂製可とう電線管の内径より大きくなって、電線（ＬＬ１）の折り返し端部と電線（ＬＬ２）の折り返し端部が共に合成樹脂製可とう電線管の入り口引っ掛かって、合成樹脂製可とう電線管内に挿入されないように構成されていることを特徴とする請求項１に記載された合成樹脂製可とう電線管と電線の組み合わせである。
○第３の考案（請求項３に記載の考案）
●上記の課題を解決するための第３の考案（請求項３に記載の考案）は、線（ＬＬ１）の折り返し端部と電線（ＬＬ２）の折り返し端部と合成樹脂製可とう電線管の入り口側部分が、テープ巻きされて一体構造となっていることを特徴とする請求項１〜２の何れかに記載された合成樹脂製可とう電線管と電線の組み合わせである。
【考案の効果】
【０００７】
本考案に係る、合成樹脂製可とう電線管と電線の組み合わせは、上記のような特徴的構成用件から構成され、特徴的構成要件に応じた、以下のような本願考案特有の効果を奏する。
また、上記の各考案に応じた、上記のような特徴的構成要件から構成された合成樹脂製可とう電線管と電線の組み合わせによれば、本願考案の課題を十分達成することができた。
○   
第１の考案の効果
●第１の考案によれば、合成樹脂製可とう電線管と電線の組み合わせにおいて、幾重に巻回された長さＬ０の合成樹脂製可とう電線管内に長さＬの電線が挿入されてなり、一方の端部分の長さＬ１の電線と他方の端部分の長さＬ２の電線が、合成樹脂製可とう電線管から管外に露出していると共に、数式（１）を充足することとを特徴とする合成樹脂製可とう電線管と電線の組み合わせ。
Ｌ＝  Ｌ１＋Ｌ０＋Ｌ２……数式（１）
ここに、Ｌ：電線の長さ（ｍ）、Ｌ０：合成樹脂製可とう電線管の長さ（ｍ）、Ｌ１：一方の端部分の電線が、合成樹脂製可とう電線管から管外に露出している長さ（ｍ）、Ｌ２：他方の端部分の電線が、合成樹脂製可とう電線管から管外に露出している長さ（ｍ）
という特徴的な構成要件により、本考案が解決しようとする第１課題を達成することができ、当業者予測不可能な顕著な効果を奏することができた。
○第２の考案の効果
●第２の考案によれば、一方の端部分の長さＬ１の電線（ＬＬ１）と他方の端部分の長さＬ２の電線（ＬＬ２）が、両端部において折り返されることにより合成樹脂製可とう電線管の内径より大きくなって、電線（ＬＬ１）の折り返し端部（ＬＬ０１と電線（ＬＬ２）の折り返し端部（ＬＬ０２）が共に合成樹脂製可とう電線管の入り口引っ掛かって、合成樹脂製可とう電線管内に挿入されないように構成されているという特徴的な構成要件により、本考案が解決しようとする第１課題の他に、第２課題を達成することができ、当業者予測不可能な顕著な効果を奏することができた。
○第３の考案の効果
●第３の考案によれば、線（ＬＬ１）の折り返し端部（ＬＬ０１）と電線（ＬＬ２）の折り返し端部（ＬＬ０２）と合成樹脂製可とう電線管の入り口側部分が、テープ巻きされて一体構造となっているという特徴的な構成要件により、本考案が解決しようとする第１課題〜第２課題の他に、第３課題を達成することができ、当業者予測不可能な顕著な効果を奏することができた。
【考案を実施するための最良の形態】
【０００８】
以下、本考案に係る、合成樹脂製可とう電線管と電線の組み合わせに関する最良の実施形態について、図面を参照しながら説明する。
図１は、本考案に係る、合成樹脂製可とう電線管と電線の組み合わせの斜視図である。図１（ａ）は、本考案に係る、合成樹脂製可とう電線管と電線ＬＬの組み合わせを長手方向に引き伸ばした状態の斜視図である。図１（ｂ）は、本考案に係る、合成樹脂製可とう電線管と電線の組み合わせを束ねた状態の斜視図のである。
図２は、本考案に係る、合成樹脂製可とう電線管と電線の組み合わせの展開図（一部省略）である。図２（ａ）は、本考案に係る、合成樹脂製可とう電線管と電線の組み合わせの平面展開図（一部省略）である。ある。図２（ｂ）は、本考案に係る、正面展開図（一部省略）である。
図３は、本考案に係る、合成樹脂製可とう電線管と電線の組み合わせの端部拡大断面図である。
図４は、本考案に係る、合成樹脂製可とう電線管と電線の組み合わせの縦断面図（図４（ａ））と横断面図（図４（ｂ））である。
本考案に係る、合成樹脂製可とう電線管と電線の組み合わせについて、図面を参照しながら、以下説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の合成樹脂製可とう電線管と電線の組み合わせにおいて、幾重に巻回された長さＬ０の合成樹脂製可とう電線管内に長さＬの電線ＬＬが挿入されてなり、一方の端部分の長さＬ１の電線ＬＬ１と他方の端部分の長さＬ２の電線ＬＬ２が、合成樹脂製可とう電線管ＬＣＤから管外に露出していると共に、数式（１）を充足することとを特徴とする合成樹脂製可とう電線管と電線の組み合わせ。
Ｌ＝  Ｌ１＋Ｌ０＋Ｌ２……数式（１）
ここに、Ｌ：電線ＬＬの長さ（ｍ）、Ｌ０：合成樹脂製可とう電線管ＬＣＤの長さ（ｍ）、Ｌ１：一方の端部分の電線ＬＬ１が、合成樹脂製可とう電線管から管外に露出している長さ（ｍ）、Ｌ２：他方の端部分の電線ＬＬ２が、合成樹脂製可とう電線管きから管外に露出している長さ（ｍ）
が開示されている（図１（ａ）、（図１（ｂ）、（図２（ａ）、（図２（ｂ）、）。
合成樹脂製可とう電線管と電線の組み合わせにおいて、合成樹脂製可とう電線管内に電線ＬＬが挿入された状態の縦断面図を、図４（ａ）に示している。合成樹脂製可とう電線管内に電線ＬＬが挿入された状態の横断面図を、（図４（ｂ）に示している。
○第１の考案の効果
第１の考案によれば、合成樹脂製可とう電線管と電線の組み合わせにおいて、幾重に巻回された長さＬ０の合成樹脂製可とう電線管内に長さＬの電線（ＬＬ）が挿入されてなり、一方の端部分の長さＬ１の電線ＬＬ１と他方の端部分の長さＬ２の電線ＬＬ２が、合成樹脂製可とう電線管から管外に露出していると共に、数式（１）を充足することとを特徴とする合成樹脂製可とう電線管と電線の組み合わせ。
Ｌ＝  Ｌ１＋Ｌ０＋Ｌ２……数式（１）
ここに、Ｌ：電線ＬＬの長さ（ｍ）、Ｌ０：合成樹脂製可とう電線管ＬＣＤの長さ（ｍ）、Ｌ１：一方の端部分の電線ＬＬが、合成樹脂製可とう電線管ＬＣＤから管外に露出している長さ（ｍ）、Ｌ２：他方の端部分の電線ＬＬが、合成樹脂製可とう電線管ＬＣＤから管外に露出している長さ（ｍ）
という特徴的な構成要件により、本考案が解決しようとする第１課題を達成でき、
すなわち、合成樹脂製可とう電線管を予め埋設施工しておき、合成樹脂製可とう電線管内に電線を通す従来技術では、合成樹脂製可とう電線管が９０度に曲がった個所では電線をスムーズに通しにくく、合成樹脂製可とう電線管が９０度に曲がった個所が複数有ると、合成樹脂製可とう電線管内に電線を通すことが全くできなくなるという欠点があり、かかる従来技術の欠点を克服した合成樹脂製可とう電線管と電線の組み合わせを提供することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の合成樹脂製可とう電線管ＬＣＤと電線ＬＬの組み合わせにおいて、一方の端部分の長さＬ１の電線ＬＬ１と他方の端部分の長さＬ２の電線ＬＬ２が、両端部において折り返されることにより合成樹脂製可とう電線管の内径より大きくなって、電線ＬＬ１の折り返し端部ＬＬ０１と電線ＬＬ２の折り返し端部ＬＬ０２が共に合成樹脂製可とう電線管ＬＣＤの入り口に引っ掛かって、合成樹脂製可とう電線管ＬＣＤの管内に挿入されないように構成されていることを特徴とする合成樹脂製可とう電線管と電線の組み合わせが、開示されている（図１（ａ）、図１（ｂ）、図２（ａ）、図２（ｂ）、図３）。
電線ＬＬ１の折り返し端部ＬＬ０１と電線ＬＬ２の折り返し端部ＬＬ０２を元の真っ直な状態に戻すことにより、電線ＬＬは合成樹脂製可とう電線管内を自由に移動できる状態にすることができる。
これにより、施工時には簡単な操作で合成樹脂製可とう電線管内に挿入された電線が合成樹脂製可とう電線管内から自由に移動できるようにすることができる合成樹脂製可とう電線管と電線の組み合わせを提供することができた。
○第２の考案の効果
第２の考案によれば、一方の端部分の長さＬ１の電線ＬＬ（ＬＬ１）と他方の端部分の長さＬ２の電線ＬＬ（ＬＬ２）が、両端部において折り返されることにより合成樹脂製可とう電線管の内径より大きくなって、電線ＬＬ（ＬＬ１）の折り返し端部（ＬＬ０１）と電線ＬＬ（ＬＬ２）の折り返し端部（ＬＬ０２）が共に合成樹脂製可とう電線管ＬＣＤの入り口引っ掛かって、合成樹脂製可とう電線管ＬＣＤ内に挿入されないように構成されていることを特徴とする合成樹脂製可とう電線管ＬＣＤと電線ＬＬの組み合わせという特徴的な構成要件により、本考案が解決しようとする第１課題の他に、第２課題を達成することができ、当業者予測不可能な顕著な効果を奏することができた（図１（ａ）、図１（ｂ）、図２（ａ）、図２（ｂ）、図３）。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の合成樹脂製可とう電線管ＬＣＤと電線ＬＬの組み合わせにおいて、電線ＬＬ１の折り返し端部ＬＬ０１と電線ＬＬ２の折り返し端部ＬＬ０２と合成樹脂製可とう電線管ＬＣＤの入り口側部分が、テープ巻きされて一体構造となっていることを特徴とする合成樹脂製可とう電線管と電線の組み合わせ開示されている（図１（ａ）、図１（ｂ）、図２（ａ）、図２（ｂ）、図３）。
上記のようなテープ巻きされた一体構造とすることにより、合成樹脂製可とう電線管内に挿入された電線が、運搬途中等においてガタ付かないようにすることができ、施工時には、施工時には簡単な操作で合成樹脂製可とう電線管内に挿入された電線が合成樹脂製可とう電線管内から自由に移動できるようにすることができる合成樹脂製可とう電線管と電線の組み合わせを提供することができた。
○   
第３の考案の効果
第３の考案によれば、線ＬＬ１の折り返し端部ＬＬ０１と電線ＬＬ２の折り返し端部ＬＬ０２と合成樹脂製可とう電線管ＬＣＤの入り口側部分が、テープｔ巻きされて一体構造となっていることを特徴とする合成樹脂製可とう電線管ＬＣＤと電線ＬＬの組み合わせという特徴的な構成要件により、本考案が解決しようとする第１課題〜第２題の他に、テープｔ巻きされた一体構造となっていることにより、合成樹脂製可とう電線管が電線とがバラバラ状態にならず第３課題を達成することができ、当業者予測不可能な顕著な効果を奏することができた。
【図面の簡単な説明】
【０００９】
【図１】図１は、本考案に係る、合成樹脂製可とう電線管と電線の組み合わせの斜視図である。図１（ａ）は、本考案に係る、合成樹脂製可とう電線管と電線ＬＬの組み合わせを長手方向に引き伸ばした状態の斜視図である。図１（ｂ）は、本考案に係る、合成樹脂製可とう電線管と電線の組み合わせを束ねた状態の斜視図のである。
【図２】図２は、本考案に係る、合成樹脂製可とう電線管と電線の組み合わせの展開図（一部省略）である。図２（ａ）は、本考案に係る、合成樹脂製可とう電線管と電線の組み合わせの平面展開図（一部省略）である。ある。図２（ｂ）は、本考案に係る、正面展開図（一部省略）である。
【図３】図３は、本考案に係る、合成樹脂製可とう電線管と電線の組み合わせの端部拡大断面図である。
【図４】図４は、本考案に係る、合成樹脂製可とう電線管と電線の組み合わせの縦断面図（図４（ａ））と横断面図（図４（ｂ））である。
【符号の説明】
【００１０】
ＬＣＤ……合成樹脂製可とう電線管
ＬＣＤ０…合成樹脂製可とう電線管の入り口側部
ＬＬ……電線
ＬＬ０……ＣＤ官内に挿入された長さＬ０の電線  
ＬＬ１……一方の端部分の長さＬ１の電線
ＬＬ２……他方の端部分の長さＬ２の電線
ＬＬ０１……電線（ＬＬ１）の折り返し端部
ＬＬ０２……電線（ＬＬ２）の折り返し端部
ｔ……テープ
【図１】
0003167782.tif 000003
【図２】
0003167782.tif 000004
【図３】
0003167782.tif 000005
【図４】
0003167782.tif 000006